(57)【要約】【課題】  装置の使用時及び収納時にアンテナの受信感度を改善することの可能な情報処理装置を提供することを目的とする。【解決手段】  アンテナ１４はアンテナ筐体１０、１１、１２に設けられるため、ディスプレイユニット３を閉じたコンピュータ１の収納時であっても、ベースユニット２やディスプレイユニット３よりもアンテナ１４が外側に位置することになる。アンテナ筐体１０、１１、１２が外部に面しているため、アンテナ１４から送受信される電波を遮蔽するものがより少なくなる。その結果、例えばユーザがコンピュータ１をサスペンド状態に移行させ、ディスプレイユニット３を閉じている状態であっても、アンテナの受信感度を改善し、無線通信性能の低下を防ぐことができる。【選択図】  図１
2009231952.tif 000002
【特許請求の範囲】
【請求項１】
少なくとも上面と側面と前面とを有する第１の筐体と、
表示装置を内蔵するとともに、前記第１の筐体の上面を覆う第１の状態と前記第１の筐体の上面を露出する第２の状態との間で回動可能となるように前記第１の筐体に接続される第２の筐体と、
前記第２の筐体と接続され、前記第２の筐体が前記第１の状態にある時に、前記第２の筐体と共に前記第１の筐体を囲うように、前記第２の筐体と独立して回動可能な第３の筐体と、
前記第３の筐体に設けられるアンテナと、を備え、
前記第３の筐体は前記第２の筐体と共に少なくとも前記第１の筐体の上面と側面と前面とを囲うことを特徴とする情報処理装置。
【請求項２】
前記第１の筐体に内蔵される基板と、
前記第３の筐体に複数設けられるアンテナそれぞれに対応して前記基板に設けられる無線通信モジュールと、
前記基板に設けられ、前記複数の無線通信モジュールと接続される第１の混合分配器と、
前記第３の筐体内に設けられ、前記複数のアンテナと接続される第２の混合分配器と、
前記第１の混合分配器と、前記第２の混合分配器とを接続する同軸ケーブルと、を備えることを特徴とする請求項１記載の情報処理装置。
【請求項３】
前記第１の筐体に内蔵され、第１のコントローラが実装される基板と、
前記第３の筐体に複数設けられるアンテナそれぞれに対応して前記第３の筐体に設けられる複数の無線通信モジュールと、
前記第３の筐体に設けられ、複数の無線通信モジュールが接続される第２のコントローラと、
前記第１のコントローラと前記第２のコントローラとを接続するためのケーブルと、を備えることを特徴とする請求項１記載の情報処理装置。
【請求項４】
前記第３の筐体に設けられ、前記複数の無線通信モジュールと接続されるとともに、前記複数のアンテナを介して送受信する電波を分波する分波回路と、電波を合成する合成回路と、
前記第２のコントローラから前記分波合成回路へ制御信号が送信される信号線と、を備えることを特徴とする請求項３記載の情報処理装置。
【発明の詳細な説明】
【技術分野】
【０００１】
本発明はアンテナを搭載した情報処理装置に関し、特に装置の使用時及び収納時にアンテナの受信感度を改善することの可能な情報処理装置に関する。
【背景技術】
【０００２】
近年、無線通信技術の発達により、ユーザは携帯電話機やコンピュータに搭載された無線通信モジュールによって外出先からもインターネットに接続することが可能となっている。無線通信では、電波の強度や受信状況によって受信感度が異なる。またアンテナの角度も受信感度に大きく影響する。
【０００３】
特許文献１には、内蔵あるいは外付けの無線機を有する携帯情報端末において、無線機の蓋を開閉構造となし、不使用時には蓋を閉めて携帯性を向上させ、また、使用時には電波の状況により、蓋の角度を自由に変えることができるようにして蓋部分にアンテナ３が内蔵されるようにした携帯情報端末が開示されている。これにより、携帯性を向上させるとともに使用時の電波状況により、最適感度が得られるよう角度を自由に変えられるようにしている。
【特許文献１】特開２０００−３４１０１８号公報
【発明の開示】
【発明が解決しようとする課題】
【０００４】
しかし、上記の方式の場合、使用時にアンテナの角度を調整することはできるが、収納時にはアンテナが本体内部に収納されてしまうため、アンテナ本来の特性を発揮することができない。特にノート型のパーソナルコンピュータのような情報処理装置では、アンテナの設けられたディスプレイユニットが閉じられたような一種の収納状態でも無線通信を行うことがあるが、このような場合にもアンテナ特性の低下を低減できることが望ましい。
【０００５】
そこで本発明の目的は、装置の使用時及び収納時にアンテナの受信感度を改善することの可能な情報処理装置を提供することにある。
【課題を解決するための手段】
【０００６】
上記目的を達成するために本発明に係る情報処理装置は、少なくとも上面と側面と前面とを有する第１の筐体と、表示装置を内蔵するとともに、前記第１の筐体の上面を覆う第１の状態と前記第１の筐体の上面を露出する第２の状態との間で回動可能となるように前記第１の筐体に接続される第２の筐体と、前記第２の筐体と接続され、前記第２の筐体が前記第１の状態にある時に、前記第２の筐体と共に前記第１の筐体を囲うように、前記第２の筐体と独立して回動可能な第３の筐体と、前記第３の筐体に設けられるアンテナと、を備え、前記第３の筐体は前記第２の筐体と共に少なくとも前記第１の筐体の上面と側面と前面とを囲うことを特徴とする。
【発明の効果】
【０００７】
本発明によれば、装置の使用時及び収納時にアンテナの受信感度を改善することの可能な情報処理装置を提供することができる。
【発明を実施するための最良の形態】
【０００８】
以下本発明に係る実施の形態を、図面を参照して説明する。本実施形態では情報処理装置としてノート型のコンピュータ１を例に説明する。図１は本発明の実施形態に係るコンピュータを示す外観斜視図である。
【０００９】
コンピュータ１はベースユニット２を備え、ベースユニット２にはディスプレイユニット３がヒンジ部４を介して回動可能に取り付けられている。ベースユニット２は上面２ａ、前面２ｂ、第１の側面２ｃ、第２の側面２ｄを有する。
【００１０】
ディスプレイユニット３はベースユニット２の上面２ａが開放される開き位置と、ベースユニット２の上面２ａが覆われる閉じ位置とで回動可能である。ディスプレイユニット３内にはＬＣＤ（Ｌｉｑｕｉｄ  Ｃｒｙｓｔａｌ  Ｄｉｓｐｌａｙ）５から構成される表示装置が組み込まれる。ベースユニット２の上面２ａにはタッチパッド６およびキーボード７が取り付けられ、コンピュータ１の電源をオン／オフするための電源スイッチ８も設けられている。
【００１１】
ディスプレイユニット３には、ディスプレイユニット３と独立して回動可能なアンテナ筐体１０、１１、１２が設けられる。アンテナ筐体１０は矢印Ａに示すように、ディスプレイユニット３がベースユニット２を覆う位置と開く位置との間で回動可能である。アンテナ筐体１１は、矢印Ｂに示すように、アンテナ筐体１１がディスプレイユニット３と略平行になる位置と略垂直になる位置との間で回動可能である。アンテナ筐体１２は、矢印Ｃに示すように、アンテナ筐体１２がディスプレイユニット３と略平行になる位置と略垂直になる位置との間で回動可能である。
【００１２】
アンテナ筐体１０、１１、１２がそれぞれディスプレイユニット３とは独立して回動可能であることによって、アンテナ筐体１０、１１、１２の位置およびディスプレイユニット３に対する角度を調整することができる。アンテナ筐体１０、１１、１２の位置および角度を調整することで、受信感度を改善することができる。
【００１３】
アンテナ筐体１０内には、無線通信を行うための第１のアンテナ１４ａ、第２のアンテナ１４ｂ、が収容される。アンテナ筐体１１内には第３のアンテナ１４ｃ、アンテナ筐体１２内には第４のアンテナ１４ｄが収容される。図１に示す構成の他に、第１のアンテナ１４ａ、第２のアンテナ１４ｂ、第３のアンテナ１４ｃ、第４のアンテナ１４ｄは、それぞれアンテナ筐体１０、１１、１２の任意の位置に設けることができる。
【００１４】
ベースユニット２内には複数の電子部品を搭載した回路基板９が収容され、この回路基板９には複数の無線通信モジュール１５が実装されている。
【００１５】
第１のアンテナ１４ａは、第１の無線通信モジュール１５ａによって使用される送受信用アンテナであり、この第１のアンテナ１４ａは、その共振周波数帯域が、第１の無線通信モジュール１５ａ用の周波数帯域を含むように構成されている。
【００１６】
第２のアンテナ１４ｂは、第２の無線通信モジュール１５ｂによって使用される送受信用アンテナであり、この第２のアンテナ１４ｂは、その共振周波数帯域が、第２の無線通信モジュール１５ｂ用の周波数帯域を含むように構成されている。
【００１７】
第３のアンテナ１４ｃは、第３の無線通信モジュール１５ｃによって使用される送受信用アンテナであり、この第３のアンテナ１４ｃは、その共振周波数帯域が、第３の無線通信モジュール１５ｃ用の周波数帯域を含むように構成されている。
【００１８】
第４のアンテナ１４ｄは、第４の無線通信モジュール１５ｄによって使用される送受信用アンテナであり、この第４のアンテナ１４ｄは、その共振周波数帯域が、第４の無線通信モジュール１５ｄ用の周波数帯域を含むように構成されている。
【００１９】
回路基板９には、第１の混合分配器１６が設けられる。各無線通信モジュール１５と第１の混合分配器１６とはケーブルを介して接続される。第１の無線通信モジュール１５ａと第１の混合分配器１６とはケーブル１７ａを介して接続される。第２の無線通信モジュール１５ｂと第１の混合分配器１６とはケーブル１７ｂを介して接続される。第３の無線通信モジュール１５ｃと第１の混合分配器１６とはケーブル１７ｃを介して接続される。第４の無線通信モジュール１５ｄと第１の混合分配器１６とはケーブル１７ｄを介して接続される。
【００２０】
アンテナ筐体１０には、第２の混合分配器１８が設けられる。第１の混合分配器１６と第２の混合分配器１８とは１本の同軸ケーブル１３を介して接続される。この同軸ケーブル１３はヒンジ部４内に設けられた開口を通してベースユニット２からディスプレイユニット３に導出されている。第２の混合分配器１８はアンテナ筐体１０、１１、１２に設けられた各アンテナとケーブルを介して接続される。
【００２１】
第２の混合分配器１８と第１のアンテナ１４ａとはケーブル１９ａを介して接続される。第２の混合分配器１８と第２のアンテナ１４ｂとはケーブル１９ｂを介して接続される。第２の混合分配器１８と第３のアンテナ１４ｃとはケーブル１９ｃを介して接続される。第２の混合分配器１８と第４のアンテナ１４ｄとはケーブル１９ｄを介して接続される。
【００２２】
第１のアンテナ１４ａ乃至第４のアンテナ１４ｄで受信した信号を第２の混合分配器１８で合成し、第２の混合分配器１８から１本の同軸ケーブル１３を介して第１の混合分配器１６に送る。第１の混合分配器１６は第２の混合分配器１８で合成された信号を分配して、各アンテナ１４ａ、１４ｂ、１４ｃ、１４ｄに対応した各無線通信モジュール１５ａ、１５ｂ、１５ｃ、１５ｄに送る。
【００２３】
図２は本発明の実施形態に係るコンピュータの構成を示すブロック図である。
【００２４】
コンピュータ１には、ＣＰＵ２０、ノースブリッジ２１、主メモリ（ＲＡＭ）２２、グラフィックスコントローラ２３、ＶＲＡＭ２４、サウスブリッジ２５、ハードディスクドライブ（ＨＤＤ）２６、ＢＩＯＳ−ＲＯＭ２７、エンベデッドコントローラ／キーボードコントローラＩＣ（ＥＣ／ＫＢＣ）３０等が設けられている。
【００２５】
ＣＰＵ２０は、コンピュータ１の各コンポーネントの動作を制御するプロセッサである。このＣＰＵ２０は、ＨＤＤ２６から主メモリ（ＲＡＭ）２２にロードされるオペレーティングシステムおよび各種アプリケーションプログラム／ユーティリティプログラムを実行する。主メモリ（ＲＡＭ）２２は、各種データバッファの格納にも用いられる。  また、ＣＰＵ２０は、ＢＩＯＳ−ＲＯＭ２７に格納されたＢＩＯＳ（Basic Input Output System）も実行する。ＢＩＯＳはハードウェア制御のためのプログラムである。
【００２６】
ノースブリッジ２１は、ＣＰＵ１０のローカルバスとサウスブリッジ２５との間を接続するブリッジデバイスである。また、ノースブリッジ２１は、ＰＣＩ  Ｅｘｐｒｅｓｓバスなどを介してグラフィックスコントローラ２３との通信を実行する機能も有している。さらに、ノースブリッジ２１には、主メモリ（ＲＡＭ）１２を制御するメモリコントローラも内蔵されている。
【００２７】
グラフィクスコントローラ２３は本コンピュータ１のディスプレイモニタとして使用されるＬＣＤ５に表示する内容や輝度を制御する表示コントローラである。このグラフィクスコントローラ２３は、ＯＳまたはアプリケーションプログラムによってビデオメモリ（ＶＲＡＭ）２４に書き込まれた表示データに対応する映像信号をＬＣＤ５に送出する。
【００２８】
サウスブリッジ２５には、ＨＤＤ２６および第１の無線通信モジュール１５ａ、第２の無線通信モジュール１５ｂ、第３の無線通信モジュール１５ｃ、第４の無線通信モジュール１５ｄが接続される。ＨＤＤ２６は、ＯＳや各種のアプリケーションプログラムを格納する。
【００２９】
本実施形態では、第１の無線通信モジュール１５ａとして３Ｇモジュール、第２の無線通信モジュール１５ｂとしてＷＬＡＮ（Ｗｉｒｅｌｅｓｓ  Ｌｏｃａｌ  Ａｒｅａ  Ｎｅｔｗｏｒｋ）モジュール、第３の無線通信モジュール１５ｃとしてＷｉＭＡＸ（Worldwide Interoperability for Microwave Access）モジュール、第４の無線通信モジュール１５ｄとしてＢｌｕｅｔｏｏｔｈモジュールを使用する場合を例に説明する。これらの３Ｇモジュール１５ａ、ＷＬＡＮモジュール１５ｂ、ＷｉＭＡＸモジュール１５ｃ、Ｂｌｕｅｔｏｏｔｈモジュール１５ｄは、ＵＳＢバスを介してサウスブリッジ２５と接続される。また、図１に示したように、各無線通信モジュール１５ａ、１５ｂ、１５ｃ、１５ｄは第１の混合分配器１６と接続される。第１の混合分配器１６と第２の混合分配器１８とは１本の同軸ケーブル１３を介して接続されるため、設計変更の際にはディスプレイユニット３側のアンテナ１４の配置だけを変えて対応することも可能である。
【００３０】
エンベデッドコントローラ／キーボードコントローラ（ＥＣ／ＫＢＣ）３０は、電源管理のためのエンベデッドコントローラと、タッチパッド６およびキーボード７などを制御するキーボードコントローラとが集積された１チップマイクロコンピュータである。ＥＣ／ＫＢＣ３０は、電源コントローラ３１と共同して、ユーザによる電源スイッチ８の操作に応答してコンピュータ１をパワーオン／パワーオフする処理を実行する。電源コントローラ３１は、コンピュータ１に内蔵されたバッテリ３２からの電力、またはＡＣアダプタ３３を介して外部から供給される電力を用いて、コンピュータ１内の各コンポーネントに電力を供給する。
【００３１】
図３は本発明の実施形態に係るコンピュータの側面を示す図である。図４は本発明の実施形態に係るコンピュータの前面を示す図である。図３および図４に示すようにディスプレイユニット３を閉じた状態では、ディスプレイユニット３によってベースユニット２の上面２ａが覆われる。また、アンテナ筐体１０、１１、１２を折り畳むことによって、ベースユニット２の上面２ａ、前面２ｂ、第１の側面２ｃ、第２の側面２ｄが覆われるようになる。
【００３２】
本実施形態では、アンテナ１４はアンテナ筐体１０、１１、１２に設けられるため、ディスプレイユニット３を閉じたコンピュータ１の収納時であっても、ベースユニット２やディスプレイユニット３よりもアンテナ１４が外側に位置することになる。アンテナ筐体１０、１１、１２が外部に面しているため、アンテナ１４から送受信される電波を遮蔽するものがより少なくなる。その結果、例えばユーザがコンピュータ１をサスペンド状態に移行させ、ディスプレイユニット３を閉じている状態であっても、アンテナの受信感度を改善し、無線通信性能の低下を防ぐことができる。
【００３３】
また、アンテナ１４の設けられるアンテナ筐体１０、１１、１２の位置および角度をディスプレイユニット３の開倒角度に関係なく設定することによって無線通信性能の低下を低減することができる。
【００３４】
本発明の実施形態によれば、装置の使用時及び収納時にアンテナの受信感度を改善することの可能な情報処理装置を提供することができる。
【００３５】
次に図５および図６を用いて本発明の第２の実施形態について説明する。以下の説明では、第１の実施形態と共通する構成については同一の符号を付し、重複する説明を省略する。  図５は本発明の第２の実施形態に係るコンピュータを示す外観斜視図である。図６は本発明の第２の実施形態に係るコンピュータの構成を示すブロック図である。
【００３６】
ディスプレイユニット３には、ディスプレイユニット３と独立して回動可能なアンテナ筐体１０、１１、１２が設けられる。アンテナ筐体１０内には、無線通信を行うための第１のアンテナ１４ａ、第２のアンテナ１４ｂ、および第１の無線通信モジュール１５ａ、第２の無線通信モジュール１５ｂが収容される。アンテナ筐体１１内には第３のアンテナ１４ｃおよび第３の無線通信モジュール１５ｃが収容される。アンテナ筐体１２内には第４のアンテナ１４ｄおよび第４の無線通信モジュール１５ｄが収容される。図５に示す構成の他に、第１のアンテナ１４ａ、第２のアンテナ１４ｂ、第３のアンテナ１４ｃ、第４のアンテナ１４ｄおよび、第１の無線通信モジュール１５ａ、第２の無線通信モジュール１５ｂ、第３の無線通信モジュール１５ｃ、第４の無線通信モジュール１５ｄをそれぞれアンテナ筐体１０、１１、１２の任意の位置に設けることができる。
【００３７】
ベースユニット２内には複数の電子部品を搭載した回路基板９が収容され、この回路基板９に実装されるサウスブリッジ２５と、ディスプレイユニット３に実装されるコントローラ／ハブ３５とがケーブル３１で接続される。このケーブル３１はヒンジ部４内に設けられた開口を通してベースユニット２からディスプレイユニット３に導出されている。
【００３８】
ディスプレイユニット３に実装されるコントローラ／ハブ３５と各無線通信モジュール１５とは、ケーブル３２を介して接続される。第１の無線通信モジュール１５ａとコントローラ／ハブ３５とはケーブル１９ａを介して接続される。第２の無線通信モジュール１５ｂとコントローラ／ハブ３５とはケーブル１９ｂを介して接続される。第３の無線通信モジュール１５ｃとコントローラ／ハブ３５とはケーブル１９ｃを介して接続される。第４の無線通信モジュール１５ｄとコントローラ／ハブ３５とはケーブル１９ｄを介して接続される。
【００３９】
コントローラ／ハブ３５は、無線通信モジュール１５ａ、１５ｂ、１５ｃ、１５ｄの電源制御やＲＦ出力のＯＮ／ＯＦＦの制御も行なう。
【００４０】
無線通信モジュール１５ａ、１５ｂ、１５ｃ、１５ｄとアンテナ１４ａ、１４ｂ、１４ｃ、１４ｄとは、それぞれケーブル３２ａ、３２ｂ、３２ｃ、３２ｄを介して接続される。
【００４１】
説明の都合上、図５には図示を省略しているが、図６に示すように無線通信モジュール１５ａ、１５ｂ、１５ｃ、１５ｄとアンテナ１４ａ、１４ｂ、１４ｃ、１４ｄとの間には分波・合成回路３６が設けられる。
【００４２】
コントローラ／ハブ３５と分波・合成回路３６との間には信号線３７が設けられ、コントローラ／ハブ３５は分波・合成回路３６を制御する制御信号を送出する。コントローラ／ハブ３５から制御信号を送ることで、無線通信モジュール１５ａ、１５ｂ、１５ｃ、１５ｄそれぞれを個別にオン／オフを制御したり、特定の無線通信モジュールのみに通信をさせたり、一度に無線通信モジュール１５ａ、１５ｂ、１５ｃ、１５ｄのオン／オフをすることもできる。
【００４３】
第２の実施形態においても、アンテナ１４はアンテナ筐体１０、１１、１２に設けられるため、ディスプレイユニット３を閉じたコンピュータ１の収納時であっても、ベースユニット２やディスプレイユニット３よりも外側に位置することになる。アンテナ筐体１０、１１、１２が外部に面しているため、アンテナ１４から送受信される電波を遮蔽するものがより少なくなる。その結果、例えばコンピュータ１のサスペンド状態など、ディスプレイユニット３を閉じている状態であっても、アンテナの受信感度を改善し、無線通信性能の低下を防ぐことができる。
【００４４】
また、アンテナ１４の設けられるアンテナ筐体１０、１１、１２の位置および角度をディスプレイユニット３の開倒角度に関係なく設定することによって無線通信性能の低下を低減することができる。
【００４５】
以上の説明のように、本発明の実施形態によれば、装置の使用時及び収納時にアンテナの受信感度を改善することの可能な情報処理装置を提供することができる。
【００４６】
本発明ではその主旨を逸脱しない範囲であれば、上記の実施形態に限定されるものではなく種々の変形が可能である。
【図面の簡単な説明】
【００４７】
【図１】本発明の実施形態に係るコンピュータを示す外観斜視図。
【図２】本発明の実施形態に係るコンピュータの構成を示すブロック図。
【図３】本発明の実施形態に係るコンピュータの側面を示す図。
【図４】本発明の実施形態に係るコンピュータの前面を示す図。
【図５】本発明の第２の実施形態に係るコンピュータを示す外観斜視図。
【図６】本発明の第２の実施形態に係るコンピュータの構成を示すブロック図。
【符号の説明】
【００４８】
１…コンピュータ、２…ベースユニット、３…ディスプレイユニット、９…回路基板、１０…アンテナ筐体、１１…アンテナ筐体、１２…アンテナ筐体、１３…同軸ケーブル、１４ａ…アンテナ、１４ｂ…アンテナ、１４ｃ…アンテナ、１４ｄ…アンテナ、１５ａ…無線通信モジュール、１５ｂ…無線通信モジュール、１５ｃ…無線通信モジュール、１５ｄ…無線通信モジュール、１６…混合分配器、１８…混合分配器、３５…コントローラ／ハブ、３６…分波・合成回路、３７…信号線
【図１】
2009231952.tif 000003
【図２】
2009231952.tif 000004
【図３】
2009231952.tif 000005
【図４】
2009231952.tif 000006
【図５】
2009231952.tif 000007
【図６】
2009231952.tif 000008